(57)【要約】  （a）他の構成要素と協働することを可能とするため表面に形成された細部（８）を有するポッティング型（６）を設置し、(b)型（６）内で膜端部を位置決めし、（ｃ）型（６）をポッティング材（９）で充填し、(d) ポッティング材（９）を少なくとも部分的に固めることを可能にし、（ｅ）ポッティング材（９）で形成されたポットを型（６）から取り出す、各ステップを有する多孔質中空膜（５）のポッティング方法。当該方法で形成されたポットを含む濾過モジュールも開示されている。
2008510601.tif 000002
【特許請求の範囲】
【請求項１】
多孔質中空膜のポッティング方法であって、
（ａ）他の構成要素と協働することを可能とするため表面に形成された細部を有するポッティング型を設置する；
（ｂ）前記型内で膜端部を位置決めする；
（ｃ）前記型をポッティング材で充填する；
（ｄ）前記ポッティング材を少なくとも部分的に固めることを可能にする；及び
（ｅ）前記ポッティング材で形成されたポットを前記型から取り出す；
のステップを有することを特徴とする多孔質中空膜のポッティング方法。
【請求項２】
前記他の構成要素が前記膜を装着する要素を含むことを特徴とする請求項１に記載されたポッティング方法。
【請求項３】
前記他の構成要素が前記膜への液体輸送のための要素を含むことを特徴とする請求項１又は請求項２のいずれか１項に記載されたポッティング方法。
【請求項４】
濾過モジュール中の多孔質中空膜を密閉して支持するポッティング材を有するポットを形成するためのポッティング方法であって、ポットが前記膜の供給側と濾過側の間に障壁を形成しており、且つモジュールの一部を形成する如何なる要素もポッティング材を保持するために必要としないことを特徴とするポッティング方法。
【請求項５】
前記濾過モジュール中の多孔質中空膜を密閉して支持するポッティング材を有するポットを具備する濾過モジュールであって、ポットが前記膜の供給側と濾過側の間に障壁を形成しており、且つモジュールの一部を形成する如何なる要素もポッティング材を保持するために必要としないことを特徴とする濾過モジュール。
【請求項６】
前記ポットが他の構成要素と協働可能にその表面に形成された細部を有することを特徴とする請求項５に記載された濾過モジュール。
【請求項７】
前記他の構成要素が前記膜を装着するための要素を有することを特徴とする請求項６に記載されたポッティング方法。
【請求項８】
前記他の構成要素が前記膜への流体輸送のための要素を含むこと特徴とする請求項６又は請求項７のいずれか１項に記載されたポッティング方法。
【発明の詳細な説明】
【技術分野】
【０００１】
本発明はポッティング方法及びかかる方法により形成されたポットに関するものであり、特に濾過システムで使用される膜をポッティングするための方法及びポットに関するものである。
【背景技術】
【０００２】
公知のポッティングシステムは、ポッティング材を保持するとともに、ヘッダー、マニフォールド、配管のような他の要素と接続する構造を提供するために使用されるプラスチック又はナイロンのポッティングスリーブにより囲まれたポッティング材中で、通常は中空糸膜である、膜の端部をポットする。これらの構造は線条、孔、溝、フランジのような形態を取ることができる。
【０００３】
大部分の濾過システムに見られる一つの問題は、システムの完全にはシールされていない様々の構成要素間の接続が汚染物質の進入を引き起こし、次にフィルターの望ましくない汚染を引き起こすことである。
【０００４】
このとは問題がポッティングスリーブとポッティング材との間に高度のシールが無い前述のポッティング装置にあることを示している。
【発明の開示】
【発明が解決しようとする課題】
【０００５】
本発明の目的は、先行技術の欠点の内、少なくとも一つを克服又は改良するか、又は有益な代替技術を提供することである。
【課題を解決するための手段】
【０００６】
本発明は次の（ａ）〜（ｅ）のステップを有する多孔質中空膜をポッティングする方法である。
（ａ）他の構成要素と協働することを可能とするため表面に形成された細部を有するポッティング型を設置する；
（ｂ）前記型内で膜端部を位置決めする；
（ｃ）前記型をポッティング材で充填する；
（ｄ）前記ポッティング材を少なくとも部分的に固めることを可能にする；及び
（ｅ）前記ポッティング材で形成されたポットを前記型から取り出す；
【０００７】
本発明のもう一つの構成は、濾過モジュール中の多孔質中空膜を密閉して支持するポッティング材を有する、ポットを形成するためのポッティング方法であって、ポットが前記膜の供給側と濾過側の間に障壁を形成しており、且つモジュールの一部を形成する如何なる要素もポッティング材を保持するために必要としないことを特徴とするポッティング方法である。
【０００８】
本発明のもう一つの構成は、前記濾過モジュール中の多孔質中空膜を密閉して支持するポッティング材を有する、ポットを具備する濾過モジュールであって、ポットが前記膜の供給側と濾過側の間に障壁を形成しており、且つモジュールの一部を形成する如何なる要素もポッティング材を保持するために必要としないことを特徴とする濾過モジュールである。
【０００９】
好ましくは、ポットが他の構成要素と協働可能にその表面に形成された細部を有する。好ましくは、前記他の構成要素が前記膜を装着するための、及び/又は前記膜への流体輸送するための要素を有する。  
【発明を実施するための最良の形態】
【００１０】
好ましい実施形態が、添付の図面を参照することにより、例を用いてのみ説明される。
【００１１】
図１の、公知のポッティング方法は他のシステム構成要素と協働する溝（８）のような細部を有するポッティングスリーブを収容する型（６）に膜（５）の束を搭載することから成る。ついで、ポッティング材（９）が膜の束（５）の周囲に導入されて（又はその逆もある）、それによりポットを作成する。
【００１２】
本発明のポッティング方法の実施形態を示す図２を参照すると、型（６）はスリーブ（７）を有しておらず、必要な細部（８）は型（６）の表面に直接形成されている。ポッティング材（９）が表面に細部（８）を有する型（６）によって収容されており、したがって、ポッティング材（９）は型（６）のメス型の形状になる。このようにして、ポットの外側に直接形成された細部（８）は他の流れ、装着、又は結合のための構成要素との連結に使用することができる。型（６）に突起部を形成してポットの選択された臨界点の強度を上げるために、(図示されていない)挿入物（insert）を細部（８）の一つに挿入してもよい。
【００１３】
ポッティングスリーブの除去は、フィルターの汚染を引き起こすスリーブとポットとの間の境界問題を避けることができると同時に、部品の節約になる。
【００１４】
開示された本発明の精神又は範囲から逸脱しない範囲で本発明の更なる実施形態及び事例があり得ることが理解される。
【図面の簡単な説明】
【００１５】
【図１】現在使用されている先行技術のポッティング用型の略立断面図。
【図２】本発明に使用されるポッティング用型の略立断面図。
【符号の説明】
【００１６】
５  膜、膜の束
６  型
７  スリーブ
８  細部、溝
９  ポッティング材
【図１】
2008510601.tif 000003
【図２】
2008510601.tif 000004
【国際調査報告】
2008510601.tif 000005
2008510601.tif 000006